(57)【要約】【課題】児童用デスクマットに、不正取得しにくい状態で特典を付与することにより、デスクマットの価値を高めると共にユーザーの満足度も高める。【解決手段】デスクマットは画像シート４を上下保護シート２，３で挟んだ構成であり、画像シート４の背部寄りでかつ右又は左の側縁からある程度入り込んだ部位に、スクラッチ層９で被覆された二次元画像１０を設け、二次元画像１０に個々のデスクマットの特定情報を格納している。ユーザーはユーザー端末で二次元画像１０を撮影し、画像をインターネット経由で管理者サーバに送信する。これにより、所定の保護シートを得て、ゲーム参加権等のサービスを受けることができる。二次元画像１０はスクラッチ層で覆われ、かつ、保護シート２が重なっているため、販売店で二次元画像１０が撮影されてポイントを不正取得される可能性は殆どない。【選択図】図２
2018019922.tif 000002
【特許請求の範囲】
【請求項１】
図柄が印刷された画像シートと、前記画像シートを挟む上下の保護シートとを有しており、前記上下の保護シートは、机天板の後部の側に位置したシール部において一体に溶着されており、前記上保護シートを介して画像シートの図柄を視認できる構成であって、
前記画像シートと上保護シートと下保護シートとのうちのいずれかに、購入に伴う特典を二次元画像の状態で表示した特典付与情報表示部が付されている、
デスクマット。
【請求項２】
前記特典付与情報表示部は、前記画像シートの上面のうち、前記保護シートのシール部に寄った部位でかつ保護シートの側縁よりも数ｃｍ以上は内側に入り込んだ部位に設けており、かつ、前記二次元画像は人が視認できないように遮蔽層で被覆されている、
請求項１に記載したデスクマット。
【請求項３】
前記遮蔽層は、硬い物で削り取りできるスクラッチ層から成っている、
請求項２に記載したデスクマット。
【請求項４】
前記特典付与情報表示部は、前記画像シート及び上下保護シートとは別体の台紙に二次元画像を印刷した態様であり、前記台紙を前記画像シート又は保護シートに剥離可能に粘着している、
請求項１〜３のうちのいずれかに記載したデスクマット。
【発明の詳細な説明】
【技術分野】
【０００１】
本願発明は、机天板に載置して使用するデスクマットに関するものである。
【背景技術】
【０００２】
デスクマットは幾つかの構造があるが、その一例として、上下保護シートの背部を一体に溶着して、上下保護シートの間に紙葉類を挟み込むようにしたタイプがある（例えば特許文献１）。上下保護シートの間に挟み込みできる紙葉類の種類は様々であり、メモ類を挟み込んだりカレンダー挟み込んだりすることもあるが、児童が使用する学習机に使用するデスクマットにおいては、マンガやアニメなどのキャラクターが印刷された画像シートを上下保護シートの間に挟み込むことが行われている。
【０００３】
つまり、児童の注意を引くキャラクターが印刷された画像シートをセットとして販売しており（画像シートのみを追加購入することは可能である）、児童が興味を持つキャラクターを机天板に大きく表示することにより、児童の勉学意欲を高めることができると言える。
【先行技術文献】
【特許文献】
【０００４】
【特許文献１】実用新案登録第３０７３６０６号公報
【発明の概要】
【発明が解決しようとする課題】
【０００５】
さて、商品やサービスの購入額に応じてユーザーにポイントを付与し、取得したポイントに応じてユーザーが特典を受け得るシステムは広く普及している。これは商品購入額に応じて特典を付与するもので、ポイントの付与や使用に当たってはユーザーを特定する必要がある。ユーザーの特定手段としては、専用のカード（ＩＣカード）が発行されていることが多く、この場合は、ユーザーの個人情報や取得ポイントがカードに記録されている。
【０００６】
通常のポイントは購入額に比例して付与されるもので、購入した商品の種類に関係なくポイントが溜まっていくが、特定の商品の購入の特典として特定のサービス（例えば、何らかのゲームをネット上で行える権利）を受けることができるシステムも存在している。この場合は、ユーザーは、特定の商品を正規に購入したことを証明して所定のポイントを取得せねばならず、そのためには、特定の商品に、その商品の固体情報等の特典付与情報表示部を設けておいて、ユーザーがその情報に基づいてユーザー登録のような形でポイントの請求を行えるようにしておく必要がある。
【０００７】
具体的には、バーコードやＱＲコード（登録商標）のような二次元画像を商品に付しておいて、ユーザーは、二次元画像をスマートフォンや携帯電話のようなデジタルカメラ付き携帯端末で撮影し、これをポイント管理会社にインターネット経由で送信することにより、購入額に応じてポイントを取得することができる。
【０００８】
そこで学習机用のデスクマットに立ち返ると、従来、デスクマットの表示として児童の興味を引くキャラクターが多用されており、デスクマットの購入の特典として何らかのサービスを受けることができると、児童の学習意欲増進にも繋がると言える。特に、表示されているキャラクターと関連したサービスであると、児童の興味は高まって楽しさは倍増すると言える。
【０００９】
本願発明はこのような現状を背景に成されたものであり、デスクマットに基づいた固有の特典を付与することにより、デスクマットの価値を高めると共に、ユーザーの満足感も高めんとするものである。
【課題を解決するための手段】
【００１０】
本願発明は、各請求項の構成を含んでいる。請求項１の発明は上位概念を成すもので、図柄が印刷された画像シートと、前記画像シートを挟む上下の保護シートとを有しており、前記上下の保護シートは、机天板の後部の側に位置したシール部において一体に溶着されており、前記上保護シートを介して画像シートの図柄を視認できる構成において、前記画像シートと上保護シートと下保護シートとのうちのいずれかに、購入に伴う特典を二次元画像の状態で表示した特典付与情報表示部が付されている。
【００１１】
請求項２の発明は請求項１の展開例であり、この発明では、前記特典付与情報表示部は、前記画像シートの上面のうち、前記保護シートのシール部に寄った部位でかつ保護シートの側縁よりも数ｃｍ以上は内側に入り込んだ部位に設けており、かつ、前記二次元画像は人が視認できないように遮蔽層で被覆されている。
【００１２】
請求項４の発明は、請求項１〜３のうちのいずれかにおいて、前記特典付与情報表示部は、前記画像シート及び上下保護シートとは別体の台紙に二次元画像を印刷した態様であり、前記台紙を前記画像シート又は保護シートに剥離可能に粘着している。
【００１３】
特典付与専用情報が記録された二次元画像は、バーコードやＱＲコード（登録商標）を採用できる。情報量の多さとセキュリティ性との点から見ると、ＱＲコードが好ましいと言える。
【００１４】
デスクマットの購入に伴う特典の内容は、管理者が任意に設定できる。例えば、スマートフォンを使用したネット上でのゲーム参加権とすることができる。或いは、他のデザインのデスクマットを購入するに当たっての購入権としたり、電子コンテンツ（ゲームソフトなど）の購入権としたりすることができる。購入権には、無料の場合と有料の場合とがあり、有料の場合は、ポイントに応じて割引される場合と、定価で購入できる権利との両方が有り得る。
【００１５】
特典がゲーム参加権や電子コンテンツの購入権である場合、そのゲームや電子コンテンツは、一般販売されておらずにデスクマットを購入しないと入手できない限定商品・限定コンテンツとすることが可能である。ゲームソフトのダウンロード権、映画の鑑賞権、イベントへの参加権のような無形のサービスも対象になる。
【発明の効果】
【００１６】
本願発明では、特典情報が記録された二次元画像をデスクマットに設けたことにより、ユーザーはデスクマットに固有の特典（サービス）を受けることができる。このため、デスクマットの付加価値を高めることができると共に、ユーザーにはサービスを通じた満足感を与えることができる。特に、児童用デスクマットである場合は、特典がゲームのような非学習的なものであっても、欲求が満たされることによって学習意欲の増進に貢献可能である。
【００１７】
なお、画像シートにキャラクターを表示している児童用デスクマットの場合、人気のあるキャラクターを使用したデスクマットは需要が多く、シリーズ品を集めたいという要望や、学用品を同じキャラクターで統一したいといった要望も有り得る。本願発明では、特典の内容を、他の画像シートの無料交換権や有料購入権、或いは割引権とすることが可能であり、この場合も、ユーザーの満足度を高めることができる。
【００１８】
さて、同一のデスクマットに基づくポイントの不正請求は防止されねばならない。特に、顧客がデスクマットを手に取って見ることができる実店舗販売の場合は、デスクマットを購入せずに二次元画像を撮影できる機会があるため、不正請求防止対策が強く要請される。さりとて、あまりに撮影しにくい状態であると、正規に購入したユーザーの手間がかかってしまう。
【００１９】
この点、請求項２の構成では、二次元画像を撮影するには、まず、画像シートを保護シートの右又は左の外側に大きく引き出すか、又は、上シートを大きく捲り上げるかして二次元画像の箇所を露出させ、次いで、遮蔽層を除去して二次元画像を露出させ、それからユーザー端末で撮影するという３つの段階を踏まねばならないが、これらの行為は人目に触れて不正行為であることは一目瞭然であり、販売店でこられの行為を行うのには大きな心理的なプレッシャーが掛かるため、販売店での二次元画像の不正撮影は殆ど不可能であるといえる。
【００２０】
つまり、二次元画像が遮蔽層で覆われていることと、二次元画像が上下保護シートで内部に入り込んでいること、及び、店内での撮影行為は目につくと共に不自然な行為であることとにより、非常に高い不正行為抑止効果を発揮するのである。
【００２１】
他方、デスクマットを正規に購入した人にとっては、二次元画像の箇所を保護シートの外側に露出させて遮蔽層を除去することは簡単であり、従って、正規購入者による特典請求の行為は容易に行える。従って、正規の購入者による二次元画像の撮影の容易性を損なうことなく、店舗での不正撮影を的確に防止できる。
【００２２】
遮蔽層として不透明な粘着テープを採用し、この粘着テープで二次元画像を覆うことも可能であるが、請求項３のようにスクラッチ層を採用すると、削り取りにはある程度の時間がかかるため、不正行為の抑止効果が一層高い利点がある。また、スクラッチ層による被覆は様々な分野で広く普及しており、硬い物で削って露出させるという方法は誰でも知っているため、正規のユーザーが戸惑うことなく二次元画像を露出させることができる。従って、正規ユーザーの手間を増大させることなく、特典の不正取得をより的確に防止できる。
【００２３】
二次元画像は画像シートに予め印刷しておくことも可能であるが、この場合は、二次元画像で画像シートの画像の一部が覆われるため、画像シートに表示されているキャラクター等の価値が減じてしまう可能性がある。また、画像シートは、特典付与システムの専用品として印刷せねばならないため、既にストックされているものは使用できないという問題もある。
【００２４】
これに対して請求項４の構成を採用すると、二次元画像は画像シート及び保護シートとは別体であるため、画像シート又は保護シートのうち不正行為を行いにくい部位に貼り付けておくことができる一方、正規なユーザーが撮影した後又は撮影する前には剥がすことができるため、画像シートの商品価値を減じることもない。また、画像シートは、寸法さえ適合したら使用できるため、様々な画像の画像シートを広く使用できる利点もある。
【図面の簡単な説明】
【００２５】
【図１】実施形態を示す図で、（Ａ）はデスクマットの概略斜視図、（Ｂ）は画像シートを部分的に引き出した状態での斜視図、（Ｃ）は二次元画像を撮影している状態での斜視図である。
【図２】（Ａ）はデスクマットの部分拡大図、（Ｂ）は要部の分離斜視図、（Ｃ）は二次元画像の配置の別例図である。
【図３】特典付与システムを示すブロック図である。
【図４】（Ａ）は要部の平面図、（Ｂ）は部分意匠として特定する場合の例を示す図、（Ｃ）は遮蔽手段の別例図である。
【発明を実施するための形態】
【００２６】
(1).デスクマットの構成
次に、本願発明の実施形態を図面に基づいて説明する。本実施形態は、学習机に使用するデスクマットに適用している。デスクマット１は、上保護シート２及び下保護シート３と、上下保護シート２，３の間に挟まれた画像シート４とで構成されている。
【００２７】
上下保護シート２，３は塩化ビニル等の透明な合成樹脂製であり、机天板の形状に合わせて左右横長の形状になっていて、机天板の後部の側に位置した背部は、一体に溶着されたシール部５になっている。シール部５を除いた３辺部は接合されていない。従って、上保護シート２を自由に捲ることができる。また、画像シート４を左右いずれかの方向や手前に引き出すことも自由に行える。なお、上下保護シート２，３はそれぞれ単層であってもよいし、複数の層からなる積層構造であってもよい。下保護シート３は不透明であってもよい。
【００２８】
画像シート４は紙に図柄を印刷したものであり、上下保護シート２，３よりも薄い。図１（Ａ）では世界地図を大まかに表示しているが、マンガやアニメのキャラクターなど、任意の図柄を表示できる。表面にキャラクターを印刷して、裏面に地図等の学習用図柄を印刷するといったことも可能である。販売に当たっては、使用者である子供の注意を惹くように、キャラクターの表示面を露出させているのが普通である。
【００２９】
画像シート４のうち手前側でかつ右又は左の端部には、商品管理用のバーコード６を表示している。図ではバーコード６しか表示していないが、実際には、バーコード６は適当な大きさの枠に部分的に表示されており、枠内に、販売者の情報やデスクマットに関する各種の注意書き等が表示されていることが多い。
【００３０】
図示の画像シート４は、保護シート２，３よりも少し小さい寸法になっており、上下の保護シート２，３は、画像シート４の左右外側において重なり合っている。従って、画像シート４を左右に引き出す場合は、上保護シート２を捲って、画像シート４の縁部を手で摘んで引き出すことになる。
【００３１】
画像シート４のうち、シール部５の近傍部でかつ画像シート４の右端から内側（左側）にある程度の寸法Ｌ１だけ入り込んだ部位には、個々のデスクマット１を特定するための特典付与情報表示部７を設けている。保護シート２，３の右端を基準にすると、特典付与情報表示部７はＬ５だけ内側に入り込んでいる。
【００３２】
特典付与情報表示部７は、台紙８の上面に各種情報をＱＲコード（登録商標）等の二次元画像として印刷して、これをスクラッチ層９で覆った構造であり、台紙８の下面に粘着層を設けてシール状の構造とすることにより、画像シート４に貼り付けている。台紙８は画像シート４から剥がすこともできる。図２（Ｃ）及び図３で、スクラッチ層９或いは二次元画像１０の下に余白部が付加されているが、これは、説明文の記載欄である。
【００３３】
特典付与情報表示部７は、画像シート４の右端からＬ１だけ内側に入り込んだ部位に設けている（左端から右側に入り込ませてもよい。）。従って、特典付与情報表示部７に表示されている二次元画像１０（図１（Ｃ）参照）を視認できるようにするには、図１（Ｂ）に示すように、上保護シート２を捲って画像シート４を右に引き出してスクラッチ層９を露出させるか、又は、上保護シート２を後ろ側に大きく捲り返してスクラッチ層９を露出させ、それから、スクラッチ層９をコインのような硬いもので削り取ることになる。
【００３４】
上記のようにして二次元画像１０を露出させてから、スマートフォンのような携帯端末１１のデジタルカメラ１２で二次元画像１０を撮影し、これを元にして、ポイント付与請求の手続（ユーザー登録）の手続を行う。携帯端末１１は、通常は保護者のものが使用されることが多いといえる。以下では、携帯端末１１をユーザー１１と呼ぶこととする。
【００３５】
図１（Ｃ）（Ｄ）に一点鎖線で示すように、特典付与情報表示部７を画像シート４の右端に寄せて配置することも可能である。この場合も、画像シート４の左右端と保護シート２，３の左右端との間にある程度の間隔が空いているので、画像シート４をある程度外側に引き出さないと特典付与情報表示部７を露出させることはできないため、不正防止機能を確保できる。
【００３６】
(2).特典付与システム
図３では、特典付与システムの概略を示している。このシステムでは、通信回線の典型例としてインターネット１３が使用されており、ポイント付与権限を有する管理者は、管理者機器の例としての管理者サーバ１４を有している。管理者サーバ１４には、ユーザーとのやり取り等のために、管理者パソコン１５が接続されている。
【００３７】
デスクマットを正規に購入してから、ユーザーは、特典（ポイント）を得るために、二次元画像１０をデジタルカメラ１２撮影して、その画像を、無線中継装置１６を介してインターネット１３経由で管理者サーバ１４に送信する。送信の具体的手順として、例えば、管理者のホームページから送信フォームを呼び出して、所定事項を記入してから画像を添付して送信することができる。
【００３８】
二次元画像１０に送信フォームやアドレスを予めインプットしておいて、デジタルカメラで撮影した画像を開くと送信フォームやアドレスが自動的に表示されるように設定しておくことも可能である。この場合は、手間を大きく省くことができるし、送信フォーム自体を個別のデスクマット１と対応させることができるので、画像の添付を省略することも可能である。
【００３９】
特典の内容には任意に設定できる。例えば、ユーザー端末１１を使用したゲームの参加権にすることができる。ゲームの参加条件として、二次元画像１０の添付を要求すること可能である。すなわち、管理会社のユーザー登録は無くして、ゲームを行う段階で初めて二次元画像１０の画像を送信する方式も採用可能である。何らかの商品（例えば限定商品）を購入できる特典の場合も、買い物かごに二次元画像１０の画像添付欄を設けておいて、二次元画像１０の添付を購入条件とすることが可能である。
【００４０】
(3).デスクマットのまとめ
以上のように、デスクマット１に特典付与情報表示部７を設けているため、例えば、ユーザーは、二次元画像１０それ自体又はこれに組み込まれているデータ（情報）をインターネット１３経由で管理者サーバ１４に送信することにより、特典としてのポイントを簡単に取得してサービスを受けることができる。
【００４１】
そして、特典付与情報表示部７は、画像シート４のうちシール部５に近接した部位で、かつ、保護シート２，３の側縁よりも内側に入り込んだ部位に設けているため、販売店で二次元画像１０を撮影してポイントを不正に取得しようとすると、上保護シート２を大きく捲るか画像シート４を外側にＬ２以上部分的に引き出すかしてから、スクラッチ層９を削り取り、更にユーザー端末１１で二次元画像１０を撮影せねばならないが、これらの行為は目立つと共に非常に不自然であるため、これらの行為を店員や他の客に隠れて行うことは非常に難しい。従って、販売店で二次元画像１０を不正に撮影してポイントを不正に取得することは、現実には困難である。
【００４２】
画像シート４を保護シート２，３の外側にＬ２程度引き出さないと、特典付与情報表示部７の二次元画像１０を視認できない。この場合、Ｌ２をどの程度の寸法に設定しておくと不正防止機能が確実かという点が問題になるが、数ｃｍあれば足りるといえる。５ｃｍもあると、引き出した状態は十分に視認できると推測される。後端からの寸法Ｌ３については、例えば１０ｃｍも捲るとその状態は十分に視認できるので、Ｌ３が相当に大きくても（例えば前後巾の半分以上であっても）、不正防止機能は高いといえる。
【００４３】
特典付与情報表示部７を貼り付け方式にすると、特典付与情報表示部７は任意の部位に配置できる。従って、図２（Ｃ）に示すように、下保護シート３にも配置できる。下保護シート３に配置する場合は、シール部５に少なくともＬ４だけ寄った部位で、かつ、保護シート２，３の右又は左側縁から内側にある程度の寸法Ｌ６だけ入り込ませることにより、二次元画像１０を簡単には視認できない状態にすることができる。Ｌ６は５ｃｍ程度もあればよいといえる。Ｌ４は相当に大きくてもよい。保護シート２，３の前後巾の半分程度より小さければ確実であるといえる。
【００４４】
図２（Ｃ）の実施形態では、上保護シート２を捲り返さないとスクラッチ層９を除去して二次元画像１０を視認することはできないので、Ｌ５は２〜３ｃｍであっても、不正防止機能は高いといえる。
【００４５】
二次元画像１０としては、バーコードを使用することも可能である。或いは、数字のみ又はアルファベットのみ若しくは数字とアルファベットとを組み合わせた識別表示とすることも可能である。
【００４６】
特典付与情報表示部７は四角形（正方形）に表示しているが、真円形や楕円形、五角形のような四角形以外の多角形、下広がり又は上広がりの台形、ハート形、小判形など様々な形状を採用可能である。
【００４７】
(4).デザイン的な側面からの説明・その他
商品管理用のバーコード６は、従来からデスクマット１に付されているものであり、それ自体は人目を惹くものではない。他方、スクラッチ層９で覆われた特典付与情報表示部７は、従来のデスクマットには見られないものであり、従って、デザイン的にも特徴があって意匠登録の対象にもなり得る。図４（Ａ）（Ｂ）を参照して、デザイン的な側面を正確に説明する。
【００４８】
本実施形態では、保護シート２，３は、例えば左右巾が８４０ｍｍ、上下巾が５００ｍｍとすることができる。画像シート４は、左右巾が７７８ｍｍで上下巾が４８０ｍｍとすることができる。従って、画像シート４を上一杯に差し込むと、画像シート４の手前には１０数ｍｍの余白部が顕れる。
【００４９】
画像シート４の左右両側にＬ７の巾の余白部が顕れるが、画像シート４と保護シート２，３とをセンター合わせすると、Ｌ６は３２ｍｍになる。画像シート４の左右巾は任意に設定できる。画像シート４と保護シート２，３とを同じ巾に設定すると、Ｌ６は０になる。Ｌ６は、例えば５ｍｍ刻みで任意の寸法に設定できる。
【００５０】
シール部５はハシゴ形になっており、上下巾Ｌ６は５ｍｍ程度で、上には２ｍｍ巾程度の余白部がある。シール部５は熱盤の形状が顕れるが、格子模様などの様々の態様と成すことができる。保護シート２，３の厚さは、それぞれ０．５ｍｍ程度とすることができる。画像シート４は上質コート紙であり、保護シート２，３に比べると遥かに薄い。
【００５１】
特典付与情報表示部７は、例えば１９ｍｍ角の大きさであり、特典付与情報表示部７の右端と画像シート４の右端との間の寸法Ｌ８は５ｍｍに設定しているが、一点鎖線や二点で示すように、例えば５ｍｍ刻みでどんどん内部に入り込ませることができる。一点鎖線でのＬ８は３５ｍｍ、二点鎖線でのＬ８は６５ｍｍになっている。特典付与情報表示部７の大きさは、１７ｍｍ角、２０ｍｍ角、２３ｍｍ角，２５ｍｍ角というように、大きさを１ｍｍ刻みで任意に増減できる。縦長の長方形や横長の長方形とすることも可能である。図２（Ｃ）のように、説明用の余白部を設けて縦長長方形に形成する場合、余白部の上下巾は、例えば５〜６ｍｍとすることができる。
【００５２】
特典付与情報表示部７とシール部５との間の間隔Ｌ９は、例えば７ｍｍ程度であるが、これも、例えば３ｍｍ刻みで上下に任意に変化させることができる。Ｌ７とＬ８との寸法の違いを任意に組み合わせることにより、特典付与情報表示部７の位置を任意に設定できる。特典付与情報表示部７を左側に配置した場合も同様である。
【００５３】
図４（Ｂ）に示すように、特典付与情報表示部７のみを特徴として部分意匠登録を受けることも可能である。この場合も、特典付与情報表示部７の位置は上記したように様々の位置に変更できる。
【００５４】
図４（Ｃ）では、特典付与情報表示部７を左右横長で不透明な被覆部１７で覆っている。被覆部１７は、例えば、上保護シート２の背部側を不透明部としたり、不透明な粘着テープを下保護シート３の表面又は裏面に貼着して構成できる。不透明な粘着テープを採用する場合は、上保護シート２の左右全長に亙る横幅である必要はなく、特典付与情報表示部７を覆う左右巾であったら足りる。被覆部１７は、上保護シート２の表面又は裏面を塗装することによって構成することも可能である。
【００５５】
このように被覆部１７を設けた場合、特典付与情報表示部７には必ずしもスクラッチ層９のような遮蔽層を設ける必要はないが、不正行為防止の確実性の点からは、特典付与情報表示部７に遮蔽層を設けることと被覆部１７とを併用するのが好ましい。
【００５６】
特典付与情報表示部７を、画像シート４の裏面に貼着しておくことも可能である。或いは、特典付与情報表示部７が貼られている面が裏面になるようにして、画像シート４を上下保護シート２，３の間に差し込んでおくことも可能である。
【００５７】
特典付与情報表示部７を上保護シート２の裏面に重ねて、テープで押さえ固定しておき、テープと一緒に特典付与情報表示部７を上保護シート２から剥がすことも可能である。この場合は、特典付与情報表示部７はテープに貼りついているので、テープを剥がしてから特典付与情報表示部７のスクラッチ層９を除去する。テープを嫌気性接着剤で上保護シート２に貼り付けておくと、剥がした後の扱いが容易であると共に、流通段階での不正行為を容易に発見できる利点がある。
【産業上の利用可能性】
【００５８】
本願発明は、実際にデスクマットに具体化できる。従って、産業上利用できる。
【符号の説明】
【００５９】
１  デスクマット
２  上保護シート
３  下保護シート
４  画像シート
５  シール部
６  商品管理用バーコード
７  特典付与情報表示部
８  台紙
９  遮蔽層の一例としてのスクラッチ層
１０  二次元画像
１１  ユーザー端末
１２  デジタルカメラ
１３  通信回線の一例としてのインターネット
１４  管理者機器の一例としての管理者サーバ
【図１】
2018019922.tif 000003
【図２】
2018019922.tif 000004
【図３】
2018019922.tif 000005
【図４】
2018019922.tif 000006